(57)【特許請求の範囲】
【請求項１】
一対の鉗子片がシースの先端部分に嘴状に開閉自在に配置されて、上記一対の鉗子片を開閉させるための操作ワイヤが上記シース内に軸線方向に進退自在に挿通配置され、上記シースの基端に連結された操作部に、上記操作ワイヤを進退操作するための操作部材が操作部本体にスライド自在に取り付けられた内視鏡用鉗子において、
上記操作ワイヤとして上記一対の鉗子片を個別に動作させる一対の操作ワイヤを設けて、上記一対の操作ワイヤの基端部付近を共に上記操作部材に固定して上記操作部本体に対しては固定しない第１の態様と、上記一対の操作ワイヤのうち一方の操作ワイヤの基端部付近を任意の進退状態において上記操作部本体に固定して上記操作部材に対しては固定せず、他方の操作ワイヤの基端部付近を上記操作部材に固定して上記操作部本体に対しては固定しない第２の態様と、を選択自在な操作ワイヤ固定手段を設けたことを特徴とする内視鏡用鉗子。
【発明の詳細な説明】
【０００１】
【発明の属する技術分野】
この発明は内視鏡用鉗子に関する。
【０００２】
【従来の技術】
内視鏡の処置具挿通チャンネルに通して使用される内視鏡用鉗子には、生検鉗子、把持鉗子、鋏鉗子等各種のものがあり、鉗子片の開閉方式には両開き方式と片開き方式がある。
【０００３】
上述のような各種の内視鏡用鉗子は、いずれも、一対の鉗子片がシースの先端部分に嘴状に開閉自在に配置されていて、その一対の鉗子片を開閉させるための操作ワイヤがシース内に軸線方向に進退自在に挿通配置され、操作ワイヤを進退操作するための操作部材が、シースの基端に連結された操作部に配置されている。
【０００４】
【発明が解決しようとする課題】
しかし、上述のような従来の内視鏡用鉗子においては、鉗子片の開閉方向は不変のものなので、患部が体内の粘膜面にどのような向きに存在するかによって、両開き方式のものを用いるか片開き方式のものを用いるか使い分けをする必要があった。
【０００５】
したがって、各種の内視鏡用鉗子毎に両開き方式のものと片開き方式のものを準備しておかなければならないので、コストがかかると同時に煩雑であり、また、両開き方式と片開き方式のどちらを用いても開き方向がピッタリしなくて使い難い場合があった。
【０００６】
そこで本発明は、患部が体内の粘膜面にどのような向きに存在していても一対の鉗子片を適切な向きに開閉させて容易に処置を行うことができる内視鏡用鉗子を提供することを目的とする。
【０００７】
【課題を解決するための手段】
上記の目的を達成するため、本発明の内視鏡用鉗子は、一対の鉗子片がシースの先端部分に嘴状に開閉自在に配置されて、一対の鉗子片を開閉させるための操作ワイヤがシース内に軸線方向に進退自在に挿通配置され、シースの基端に連結された操作部に、操作ワイヤを進退操作するための操作部材が配置された内視鏡用鉗子において、操作ワイヤとして一対の鉗子片を個別に動作させる一対の操作ワイヤを設けて、一対の操作ワイヤのうち少なくとも一方を、操作部材及び操作部の固定部分の双方に対して固定／解除自在に構成したものである。
【０００８】
【発明の実施の形態】
図面を参照して本発明の実施例を説明する。
図１は、本発明が適用された内視鏡用生検鉗子を示している。ただし、本発明は把持鉗子や鋏鉗子など各種の内視鏡用鉗子に適用することができる。
【０００９】
１は、図示されていない内視鏡の処置具挿通チャンネルに挿脱される密着巻コイルパイプからなる可撓性のシースであり、その先端の枠体に設けられた支軸３に一対の鉗子片２ａ，２ｂが嘴状に開閉自在に軸支されている。
【００１０】
各鉗子片２ａ，２ｂの後方に一体に形成されたリンク部には、各鉗子片２ａ，２ｂを個別に作動させる一対の操作ワイヤ４ａ，４ｂの先端が各々連結されており、一対の操作ワイヤ４ａ，４ｂは、各々が軸線方向に独立して進退自在にシース１内に挿通配置されている。
【００１１】
したがって、一対の操作ワイヤ４ａ，４ｂを一緒に進退させれば一対の鉗子片２ａ，２ｂが均等に開閉し、一対の操作ワイヤ４ａ，４ｂの一方だけを進退させれば鉗子片２ａ，２ｂの一方だけが開閉動作する。
【００１２】
シース１の基端には操作部１０の操作部本体１１が固定的に連結されており、その長手方向に形成されたスリット部１２にスライド操作部材１３が取り付けられている。
【００１３】
一対の操作ワイヤ４ａ，４ｂは、シース１の基端から操作部本体１１内に引き出されて、各操作ワイヤ４ａ，４ｂの基端はスライド操作部材１３に形成されたガイド孔１４ａ，１４ｂ内に別々に挿通されている。
【００１４】
スライド操作部材１３には、一対の操作ワイヤ４ａ，４ｂの各基端部分を別々に固定／解除自在な一対の手動の駆動部係脱ネジ１５ａ，１５ｂが取り付けられている。
【００１５】
したがって操作ワイヤ４ａ，４ｂは、駆動部係脱ネジ１５ａ，１５ｂにより基端がスライド操作部材１３に固定されていれば、スライド操作部材１３を進退操作することによって軸線方向に進退駆動される。
【００１６】
また、操作部本体１１の先端部分には、そこを通過する一対の操作ワイヤ４ａ，４ｂを操作部本体１１に別々に固定／解除自在な一対の手動の固定部係脱ネジ１６ａ，１６ｂが取り付けられており、一対の操作ワイヤ４ａ，４ｂを固定部係脱ネジ１６ａ，１６ｂによって選択的に操作部本体１１に固定することができる。
【００１７】
このように構成された実施例の内視鏡用鉗子は、図２に示されるように、一対の駆動部係脱ネジ１５ａ，１５ｂを双方共締め付けて、一対の固定部係脱ネジ１６ａ，１６ｂを双方とも緩めておけば、スライド操作部材１３を進退操作することによって二本の操作ワイヤ４ａ，４ｂが一緒に進退して一対の鉗子片２ａ，２ｂが均等に嘴状に開閉する。
【００１８】
そのような状態では鉗子片２ａ，２ｂの開閉の向きが適当ではない場合には、図３に示されるように、第１の駆動部係脱ネジ１５ａを締め付けて第１の固定部係脱ネジ１６ａを緩めた状態で、第２の駆動部係脱ネジ１５ｂを緩めて第２の固定部係脱ネジ１６ｂを締め付ける。
【００１９】
すると、第２の操作ワイヤ４ｂがスライド操作部材１３に固定されずに操作部本体１１に固定された状態になるので、第２の鉗子片２ｂが開閉しない状態に固定され、第１の鉗子片２ａだけがスライド操作部材１３の進退操作によって開閉する片開きの状態になる。その結果、シース１の先端部分の正面方向に対して偏向した位置にある患部に対する処置を容易に行うことができる。
【００２０】
さらに、鉗子片２ａ，２ｂの一方を適切な任意の向きに固定させて他方を開閉させることにより、シース１の先端部分の向きに対して患部がどのような向きに偏向していても鉗子片２ａ，２ｂを正対させて容易に処置を行うことができる。
【００２１】
なお、本発明は上記実施例に限定されるものではなく、例えば一対の操作ワイヤ４ａ，４ｂのうち少なくとも一方をスライド操作部材１３と操作部本体１１に対して固定／解除自在に構成すればよい。
【００２２】
【発明の効果】
本発明によれば、操作ワイヤとして一対の鉗子片を個別に動作させる一対の操作ワイヤを設けて、一対の操作ワイヤのうち少なくとも一方を操作部材及び操作部の固定部分の双方に対して固定／解除自在に構成したことにより、患部が体内の粘膜面にどのような向きに存在していても一対の鉗子片を適切な向きに開閉させて容易に処置を行うことができる。
【図面の簡単な説明】
【図１】本発明の実施例の内視鏡用鉗子の側面断面図である。
【図２】本発明の実施例の内視鏡用鉗子の両開き動作状態の側面断面図である。
【図３】本発明の実施例の内視鏡用鉗子の片開き動作状態の側面断面図である。
【符号の説明】
１  シース
２ａ，２ｂ  鉗子片
４ａ，４ｂ  操作ワイヤ
１０  操作部
１１  操作部本体
１３  スライド操作部材
１５ａ，１５ｂ  駆動部係脱ネジ
１６ａ，１６ｂ  固定部係脱ネジ
【図１】
0004024517.tif 000002
【図２】
0004024517.tif 000003
【図３】
0004024517.tif 000004